(57)【要約】【課題】本発明では、使用した折りたたみ傘を閉じた状態で収納し、かばん、バッグ等に簡単に装着保持し、長傘の保持具を兼ね備えた折りたたみ傘収納保持袋を提供する事および保持袋未使用時はコンパクトな形状で携行または収納出来、使用時は手の開放を図る折りたたみ傘収納保持袋を提供する事を目的とするものである。【解決手段】前方部と後方部を連結して袋状の折りたたみ傘収納部を構成する本体と、本体の両側又は片側にはベルトと、かつ本体後方部の上端には本体を折りたたんで包み込む第１固着具を有するカバー部とからなる保持袋であって、その裏面には、カバー部を留める第４固着具を設け、且つ幅広ベルトを有する長傘用保持具を設けた折りたたみ傘収納保持袋。【選択図】図１
2007167595.tif 000002
【特許請求の範囲】
【請求項１】
前方部と後方部を連結して袋状の折りたたみ傘収納部を構成する本体と、本体の両側又は片側に設けたベルトと、本体後方部の上端には本体を折りたたんで巻き付ける固着具を有するカバー部を設けた折りたたみ傘収納保持袋。
【請求項２】
カバー部前面上部と折りたたみ傘収納保持袋の背面に互いに係合する固着具を設け、本体の袋状の折りたたみ傘収納部を折りたたんで前記カバー部を巻き付けて、カバー部前面上部の固着具と傘収納部を係合して留め、コンパクトに形成する事を特徴とする請求項１記載の折りたたみ傘収納保持袋。
【請求項３】
前記本体の裏面に、カバー部を留める固着具を設け、且つ幅広ベルトを有する長傘保持具を備えた請求項１又は２記載の折りたたみ傘収納保持袋。
【請求項４】
前記折りたたみ傘収納保持袋をかばん等に係止するための、長さ調節可能なベルトを前記本体に設けた請求項１〜３記載の折りたたみ傘収納保持袋。
【発明の詳細な説明】
【技術分野】
【０００１】    本発明は、折りたたみ傘収納保持袋に関する。
【背景技術】
【０００２】  折りたたみ傘は、保持袋に入れて手に持つか折りたたんで保持袋ごとかばんに収納している。また、保持袋を２重にした保持具をかばんの縁に取り付ける、あるいは使用して濡れた折りたたみ傘を収納出来る状態に折りたたんで保持具に収納するなどがある。長傘の場合、手の開放を図る為に電車の手すりに引っ掛けて置くなどしている。また、長傘保持具としては、保持具をかばんに直接取り付けたり、かばんに巻き付けその保持具に長傘を留めるなどがある。
なお、関連技術として下記の物件がある。
【特許文献１】実開平６−３６４１２号公報
【特許文献２】実開第３０５７１３７号公報
【特許文献３】特開２００２−１２５７３４号公報
【発明の開示】
【発明が解決しようとする課題】
【０００３】  特許文献１記載の発明にかかる傘入れ袋は、保持袋をかばんの縁に引っ掛ける為かばんの縁に強度を必要とし且つ様々な形態に対応しずらく又常にかばんを立てておかなくてはならない。特許文献２記載の発明にかかる傘袋は、濡れた傘を折りたたまなくては収納出来ない不便さがある。特許文献３記載の発明にかかる傘ホルダでは保持具自体をかばんに巻き付けて装着するがかばんを開ける事が困難であったり、保持具を直接かばんに取り付ける場合はかばんの特定と、かばんあるいは保持具のいずれかに不具合が生じた際はどちらも処分しなくてはならず無駄であるという問題がある。【０００４】  以上に述べた様に、従来の折りたたみ傘保持袋では、目的を解決する余り利便性に疑問を生じている。因みに使用して濡れた折りたたみ傘をつぼめた状態で簡便には収納出来ず、漏水防止や保持袋使用時の両手の開放が十分でなかったり又、長傘保持具も含め専用のかばん、バッグ等に関しても大げさな収納保持袋を考える余り取り扱いが簡便でない点で問題がある。【０００５】  本発明では、使用した折りたたみ傘を閉じた状態で収納し、かばん、バッグ等に簡単に装着保持し、長傘の保持具を兼ね備えた折りたたみ傘収納保持袋を提供する事および保持袋未使用時はコンパクトな形状で携行または収納出来、使用時は手の開放を図る事を目的とするものである。
【課題を解決するための手段】
【０００６】  前方部と後方部を連結して袋状の折りたたみ傘収納部を構成する本体と、本体の両側又は片側に設けたベルトと、本体後方部の上端には本体を折りたたんで包み込む固着具を有するカバー部を設けた折りたたみ傘収納保持袋である。【０００７】  カバー部前面上部と折りたたみ傘収納保持袋の背面に互いに係合する固着具を設け、本体の袋状の折りたたみ傘収納部を折りたたんで前記カバー部を巻き付けて、カバー部前面上部の固着具と傘収納部を係合して留め、コンパクトに形成する事を特徴とする折りたたみ傘収納保持袋である。【０００８】  前記本体の裏面に、カバー部を留める固着具を設け、且つ幅広ベルトを有する長傘保持具を備えた折りたたみ傘収納保持袋である。【０００９】  前記折りたたみ傘収納保持袋をかばん等に係止するための、長さ調節可能なベルトを前記本体に設けた折りたたみ傘収納保持袋である。【００１０】  本発明は、上記構成から成るので以下に示す効果が期待できる。
１．保持袋未使用時および空の携行時は簡単に体裁良くポシェット風にコンパクト化出来かばん等に簡単に装着出来る。（未使用時の場合はかばん内への収納も可）
２．差した折りたたみ傘をつぼめた状態で簡単に出し入れが出来る。
３．保持袋使用時は買い物、食事等建物や店舗に入る際は手が開放され何の妨げにもならない。
４．収納保持が簡単に出来る為、本来の折りたたみ傘の利便性を大いに発揮させ、折りたたみ傘の普及に役立つ。
５．乗物着席時に於いて簡単に長傘の装着保持が出来る。
６．長傘の安易な保持で、転倒による騒音や歩行時の邪魔等の迷惑を回避出来る。
７．かばん等に装着されているので忘れ物防止になる。
８．乗り物乗車中の保持袋使用時は（長傘、折りたたみ傘いずれの場合も）手の開放が図られ、読書勉学睡眠等が出来る。
【発明を実施するための最良の形態】
【００１１】  以下、本発明の実施形態について図面を参照に説明する。
図１は折りたたみ傘収納保持袋の正面図で、図２はその背面図である。折りたたみ傘収納保持袋本体１は、前方部１０と後方部２０を縫製又は接着で袋状に形成し且つ防水が施され、本体１の両側には複数個の第２固着具が設けられたベルト３０が取り付けられ、本体後方部上部はカバー部４０でありその上端に第１固着具雌部４２を有し又、本体背面にはベルト３０の下に長傘用ベルト５０及び長傘用ベルト受け部５１即ち長傘用保持具が設けられており、さらにその下には本体をコンパクトな状態に形成する為のカバー部４０を留める第４固着具雄部６０が設けられている。【００１２】  図７、図８及び図９は折りたたみ傘収納保持袋の使用状態を示す説明図である。本体１につぼめた状態の折りたたみ傘を収納し、第２固着具雄部３１雌部３２によってベルト３０の長さを調節しかばん等に装着する。図３及び図４は折りたたみ傘収納保持袋を折りたたむ状態を示す説明図である。本体下方部を三つ折りにたたみ、カバー部４０で包み込み第１固着具雌部４２と第４固着具雄部６０を留めコンパクトな形態を形成する。図５は長傘用保持具図であり、第３固着具を有する長傘用ベルト５０と長傘用ベルト受け部５１によって長傘を挟み、長さを調節したベルト３０によってかばん等に装着する。図１０は携行時の折りたたみ傘収納保持袋であり、折りたたみ傘保持袋の未使用時又は折りたたみ傘使用時で空の携行時に於ては、図６のようなコンパクトな形態にして、長さを調節したベルト３０によってかばん等に装着する。【００１３】  ベルト３０の長さを調節する固着具は、スナップボタン、面ファスナー等でもよい。また、ベルト３０は片側にＤ環あるいは固着具が施された短い受け部を設ける事により１本にする事も可能である。
後方部上部のカバー部４０は、その内側上下２ヵ所に適宜の間隔をおいて第１固着具の雌雄部４１と４２が施されている。図７で示す様に、傘収納時にこのカバー部４０の雄部４１と雌部４２を留めて折る事も可であるし、図８の様にカバー部４０が伸ばされていても良い。なおカバー部４０は強度を保つ為、素材の二重化望ましいが、その場合は包み込み折りたたんだ本体厚み分の巾２１の二重化を避ける。また、前方部１０の上部は二重の折り返し部１１を設ける事により前方部１０と後方部２０の僅かな隙間を指で広げる事で簡単に収納が出来るので望ましい。
【実施例】
【００１４】  実施例１
濡れた折りたたみ傘を歩行時あるいは直立時において保持する場合は、ベルト３０をかばんやハンドバッグの持ち手取り付け部Ａに巻き付け、かばんやハンドバック等の腹部Ｂに密着するように調整し使用する。【００１５】  実施例２
着席時においては、ベルト３０をかばんやハンドバッグの持ち手取り付け部Ａに巻き付け、保持袋本体から水が漏れないようにかばんやハンドバッグ等の底部Ｃに密着させ垂直に使用する。【００１６】  実施例３
長傘保持具として使用する場合は、保持袋を折りたたんでコンパクトな携行用に形成し、かばんやハンドバッグの底部Ｃに密着させるようベルト３０によって長さを調整し、長傘用ベルト５０と長傘用ベルト受け部５１即ち長傘保持具に挟み第３固着具雄部５２と雌部５３を留める。【００１７】  実施例４
収納した傘を再度使用する場合は、保持袋の中から水が漏れないよう保持袋本体１を３つ折りにたたみ、カバー部４０に施した第１固着具雌部４２と本体保持袋長傘用ベルト５０の下にある第４固着具雄部６０を留めコンパクトな形態（図６）を形成して、かばんの腹部Ｂに装着して携行できる。再度折りたたみ傘を保持袋に収納する場合は固着具をはずし本体１を伸ばして使用する。いずれの場合でもベルト３０により最適な長さで使用することができる。
【図面の簡単な説明】
【００１８】
【図１】折りたたみ傘収納保持袋の正面図
【図２】折りたたみ傘収納保持袋の背面図
【図３】折りたたみ傘収納保持袋を折りたたむ状態を示す説明図
【図４】折りたたみ傘収納保持袋を折りたたむ状態を示す説明図
【図５】長傘用保持具を示す斜視図
【図６】折りたたみ傘収納保持袋を折りたたんだ状態を示す斜視図
【図７】折りたたみ傘収納保持袋の使用状態を示す斜視図
【図８】折りたたみ傘収納保持袋の使用状態を示す斜視図
【図９】長傘用保持具の使用状態を示す斜視図
【図１０】折りたたみ傘収納保持袋をかばんに取り付けた状態を示す斜視図
【符号の説明】
【００１９】１    保持袋本体
１０  本体前方部
１１  二重の折り返し部
２０  本体後方部
２１  本体厚み分の巾
３０  ベルト
３１  第２固着具雄部
３２  第２固着具雌部
４０  カバー部
４１  第１固着具雄部
４２  第１固着具雌部
４３  第１固着具飾りボタン
５０  長傘用ベルト
５１  長傘用ベルト受け部
５２  第３固着具雄部
５３  第３固着具雌部
５４  第３固着具飾りボタン
６０  第４固着具雄部
Ａ    かばん持ち手取り付け部
Ｂ    かばん腹部
Ｃ    かばん底部
【図１】
2007167595.tif 000003
【図２】
2007167595.tif 000004
【図３】
2007167595.tif 000005
【図４】
2007167595.tif 000006
【図５】
2007167595.tif 000007
【図６】
2007167595.tif 000008
【図７】
2007167595.tif 000009
【図８】
2007167595.tif 000010
【図９】
2007167595.tif 000011
【図１０】
2007167595.tif 000012